(57)【要約】      （修正有）【課題】発光装置による照射光の色むらを低減しつつ発光効率を維持することが可能な光源を提供する。【解決手段】基板１１と、発光面上に搭載され、第１の方向に沿った辺と第１の方向と交差する第２の方向に沿った辺とを有する上面を有するＬＥＤ素子１３と、ＬＥＤ素子の上面を覆う蛍光体含有層と、基板の上方に配され、第１の方向及び第２の方向に沿った辺を有する上面及下面を有し、かつ下面の全体が蛍光体含有層に接している板状の透光性部材と、ＬＥＤ素子、蛍光体含有層及び透光性部材の側面を覆う反射部材と、を有する光源と、光源の投光方向前方に配されているレンズと、を有し、ＬＥＤ素子上面の第１の方向に沿った辺と透光性部材の上面及び下面の第１の方向に沿った辺との長さの差が、発光素子上面の第２の方向に沿った辺と透光性部材の上面及び下面の前記第２の方向に沿った辺との長さの差よりも小さい。【選択図】図２ａ
2013149835.tif 000002
【特許請求の範囲】
【請求項１】
基板と、
前記発光面上に搭載され、第１の方向に沿った辺と前記第１の方向と交差する第２の方向に沿った辺とを有する上面を有する発光素子と、前記発光素子の上面を覆う蛍光体含有層と、前記基板の上方に配され、前記第１の方向及び前記第２の方向に沿った辺を有する上面及び下面を有し、かつ前記下面の全体が前記蛍光体含有層に接している板状の透光性部材と、前記発光素子、前記蛍光体含有層及び前記透光性部材の側面を覆う反射部材と、を有する光源と、
前記光源の投光方向前方に配されているレンズと、を有し、
前記発光素子上面の前記第１の方向に沿った辺と前記透光性部材の上面及び下面の前記第１の方向に沿った辺との長さの差が、前記発光素子上面の前記第２の方向に沿った辺と前記透光性部材の上面及び下面の前記第２の方向に沿った辺との長さの差よりも小さいことを特徴とする発光装置。
【請求項２】
前記レンズは、光軸に対して非回転対称のレンズ領域を有し、前記レンズ領域は、前記光源から到達した光を、少なくとも前記第２の方向においてコリメートしないことを特徴とする請求項１に記載の発光装置。
【請求項３】
前記レンズ領域は、前記第１の方向に沿った曲率と前記第２の方向に沿った曲率とが異なることを特徴とする請求項１または２に記載の発光装置。
【請求項４】
前記レンズ領域は、前記第１の方向に沿った曲率が前記第２の方向に沿った曲率よりも大きいことを特徴とする請求項３に記載の発光装置。
【請求項５】
基板と、
前記発光面上に搭載され、第１の方向に沿った辺と前記第１の方向と交差する第２の方向に沿った辺とを有する上面を有する発光素子と、
前記発光素子の上面を覆う蛍光体含有層と、
前記基板の上方に配され、前記第１の方向及び前記第２の方向に沿った辺を有する上面及び下面を有し、かつ前記下面の全体が前記蛍光体含有層に接している板状の透光性部材と、
前記発光素子、前記蛍光体含有層及び前記透光性部材の側面を覆う反射部材と、を有し、
前記発光素子上面の前記第１の方向に沿った辺と前記透光性部材の上面及び下面の前記第１の方向に沿った辺との長さの差が、前記発光素子上面の前記第２の方向に沿った辺と前記透光性部材の上面及び下面の前記第２の方向に沿った辺との長さの差よりも小さいことを特徴とする光源。
【発明の詳細な説明】
【技術分野】
【０００１】
本発明は、発光装置に関し、特にＬＥＤ（Light Emitting Diode）素子を搭載した光源を用いる発光装置に関する。
【背景技術】
【０００２】
近年、白熱電球や蛍光灯ランプに代わりＬＥＤ素子を利用した光源を備える発光装置が照明器具や車両用の灯具等に利用されている。ＬＥＤ素子を利用した発光装置で白色光を生成しようとする場合、ＬＥＤ素子を蛍光体含有樹脂で覆い、ＬＥＤ素子からの出射光と、当該出射光によって励起された蛍光体からの蛍光を混色することによって白色光を生成する方法がよく用いられている。特に、自動車の前面部に搭載される灯具（例えば、前照灯またはデイタイムランニングランプ）では、光源とレンズとを組み合わせて、白色光を垂直方向に照射角が狭く水平方向に照射角が広い横長配光にして照射する発光装置を用いている場合が多い。
【０００３】
例えば、ＬＥＤ素子からの発光と励起された蛍光体からの蛍光との混色光を生成する発光装置として、特許文献１には、基材上に実装された半導体発光素子と、半導体発光素子を封止する部材であって、透光性樹脂に半導体発光素子からの出射光を波長変換する蛍光体を混入してなる波長変換部材と、波長変換部材の上に設けられた透明接着部材と、透明接着部材の上に配置されて、波長変換部材に透明接着部材を介して接着固定された透明板と、半導体発光素子、波長変換部材、透明接着部材及び透明板の周囲に充填された、透光性樹脂に光散乱粒子を混入してなる拡散反射部材と、を備えた発光装置が示されている。
【０００４】
また、励起されて黄色の蛍光を発する蛍光体を使用して白色光を照射する発光装置として、特許文献２には、基材と、基材上に形成された、光反射層と、光反射層の上に該光反射層を覆うように成膜されたシリカガラス膜と、シリカガラス層にシリコーン接着剤を介して固定された青色半導体発光素子と、を含み、該半導体発光素子が黄色蛍光体を含有してなる封止樹脂で樹脂封止されている発光装置が示されている。
【０００５】
また、特許文献３には、シリンドリカルレンズまたはトロイダルレンズとプリズムとを組み合わせたレンズ装置を用いた発光装置が開示されている。
【先行技術文献】
【特許文献】
【０００６】
【特許文献１】特開２０１１−２０４３７６号公報
【特許文献２】特開２０１０−１８６９５２号公報
【特許文献３】特開２０１０−１６５４８４号公報
【発明の開示】
【発明が解決しようとする課題】
【０００７】
特許文献１に示されているような発光装置に特許文献２に示されているように黄色蛍光を発する蛍光体を使用する場合、光取り出し面から見て、半導体発光素子上面と重なっていない光取り出し面の周縁の領域から出射される光は、ＬＥＤ素子から出射された光の波長変換部材内における光路長が比較的長いので、光取り出し面の中央の領域から出射される光よりも黄色味が強い光となる。このような光源を車両用の灯具に使用した場合、図１に示すように光源から出射された照射光によって照らされた投影面ＳＣＲにおいては、中央に白色領域ＷＨが存在し、その周縁部において額縁状の黄色の色むら領域Ｙ（図中斜線部）が発生してしまっていた。車両用の灯具は、灯具による光の照射面における光度または色度に関して厳格な基準を満たさなければならず、上記色むらの発生が問題となっていた。
【０００８】
本発明は、上記した点に鑑みてなされたものであり、光取り出し効率を維持しつつ灯具の光照射面における色むらを低減することが可能な発光装置を提供することを目的とする。
【課題を解決するための手段】
【０００９】
本発明の発光装置は、基板と、発光面上に搭載され、第１の方向に沿った辺と第１の方向と交差する第２の方向に沿った辺とを有する上面を有する発光素子と、発光素子の上面を覆う蛍光体含有層と、基板の上方に配され、第１の方向及び第２の方向に沿った辺を有する上面及び下面を有し、かつ下面の全体が蛍光体含有層に接している板状の透光性部材と、発光素子、蛍光体含有層及び透光性部材の側面を覆う反射部材と、を有する光源と、光源の投光方向前方に配されているレンズと、を有し、発光素子上面の第１の方向に沿った辺と透光性部材の上面及び下面の第１の方向に沿った辺との長さの差が、発光素子上面の第２の方向に沿った辺と透光性部材の上面及び下面の前記第２の方向に沿った辺との長さの差よりも小さいことを特徴とする。
【発明の効果】
【００１０】
本発明の発光装置では、レンズによる配光の自由度が低く、レンズ配光により色むらを低減することが困難な方向においては、光源の発光素子の上面の幅と光取り出し面の幅との差を小さくして黄色の色むらを低減し、レンズによる配光の自由度が高く、レンズ配光により色むらを低減することが容易な方向においては、光源の発光素子上面の幅と光取り出し面の幅の差を大きくして、発光素子からの光をより多く取り出す構造になっている。これにより、光の取り出し効率を維持しつつ、効率的に照射光の色むらを解消することが可能となる。
【図面の簡単な説明】
【００１１】
【図１】従来例の発光装置による投影像である
【図２ａ】本発明の実施例１に係る光源の平面図である。
【図２ｂ】本発明の実施例１に係る光源の断面図である。
【図２ｃ】本発明の実施例１に係る光源の断面図である。
【図３】本発明の実施例１に係る光源による投影像である。
【図４】本発明の実施例１に使用されるレンズの一例の斜視図である。
【図５ａ】本発明の光源を利用した発光装置の断面図である。
【図５ｂ】本発明の光源を利用した発光装置の断面図である。
【発明を実施するための形態】
【００１２】
【実施例１】
【００１３】
以下に、本発明の実施例１に係る発光装置１について、図２ａ−ｃ、図３、図４、及び図５ａ、ｂを参照しつつ説明する。図２ａは、本発明の実施例１に係る光源１Ａの光放射面側からみた平面図である。図２ｂは、図２ａにおける２ｂ−２ｂ線に沿った断面図である。図２ｃは、図２ａにおける２ｃ−２ｃ線に沿った断面図である。図３は、光源１Ａと光軸に対して回転対称な一般的なレンズとの組み合わせによる投影像である。図５ａは、光源１Ａとレンズ１Ｂとを組み合わせた発光装置１を図２ａの２ｃ−２ｃ線に沿った断面で示した断面図であり、図５ｂは、発光装置１を図２ａの２ｂ−２ｂ線に沿った断面で示した断面図である。尚、図５ａ、ｂには、光源１Ａからの光が投影面ＳＣＲに達するまでの光線の軌跡も示している。
【００１４】
光源１Ａは、図２ａ−ｃに示すように、基板１１、ＬＥＤ素子１３、凹部１５、プレート１９、蛍光体含有層２１、反射体層２３からなっている。
【００１５】
基板１１は、例えばＡｌＮセラミックス、またはＡｌ２Ｏ３等のセラミック、樹脂、または金属からなる矩形の平面形状を有する基板である。基板１１は、ＬＥＤ素子１３を搭載する光放射面側の面（すなわち、基板１１の上面）の中央に、押し出し成形または射出成形等によって基板と一体に成形された凹部１５を有している。尚、凹部１５は、穴の空いた基板等を複数重ね合わせることで形成されてもよい。
【００１６】
ＬＥＤ素子１３は、凹部１５の中央に設けられている。ＬＥＤ素子１３は、例えば、一辺が８００μｍの正方形の平面形状を有し、青色光（波長４３０ｎｍ〜４７０ｎｍ程度）を発する青色発光ダイオードである。ＬＥＤ素子１３は、下面にＰ電極及びＮ電極を有しているフリップチップ型の素子であり、当該Ｐ電極及びＮ電極の各々は、Ａｕ等の導電性のバンプ１７を介して基板１１の表面に形成された電極（図示せず）に電気的に接続されている。
【００１７】
ＬＥＤ素子１３の上方には、上面が光源１Ａの光取り出し面を画定する透光性を有するプレート１９が、ＬＥＤ素子１３の上面から所定の距離（例えば、５０μｍ）だけ離間して配置されている。プレート１９は、第１の方向に沿った辺Ｓが８３０μｍ、第１の方向と交差（直交）する第２の方向に沿った辺Ｌが１０２０μｍの矩形の平面形状を有する薄板部材である。プレート１９は、例えば、エポキシ樹脂等の透光性樹脂またはガラス等の無色透明な材料からなっていてもよい。プレート１９は、下面及び上面の各辺がＬＥＤ素子１３上面の各辺と同一の方向に沿うように配されており、プレート１９の辺ＬとＬＥＤ素子１３の上面の一辺との長さの差ΔＬが、プレート１９の辺ＳとＬＥＤ素子の上面の一辺の長さとの差ΔＳよりも大きくなっている。図２ａに示すように、光取り出し面側から見ると、ＬＥＤ素子１３とプレート１９が重なっていない周縁領域ＳＲ（図中斜線部）が存在する。以下、プレート１９の辺Ｓに沿った方向を光源の第１の方向、プレート１９の辺Ｌに沿った方向を光源の第２の方向と称する。
【００１８】
ＬＥＤ素子１３の周囲には、ＬＥＤ素子１３の下面周縁端部からプレート１９の下面まで蛍光体含有層２１が形成されている。従って、蛍光体含有層２１は、第１の方向及び第２の方向に沿った、底面に垂直な断面がＬＥＤ素子１３の断面を含めて略台形状になっている（図２ｂ、ｃ）。この蛍光体含有層２１は、例えば、ＬＥＤ素子１３上に、蛍光体含有樹脂をポッティングして、その上にプレート１９を載置した後に樹脂を硬化させることによって形成されてもよい。
【００１９】
蛍光体含有層２１は、透光性を有する材料、例えば、シリコーン樹脂、エポキシ樹脂、ウレタン樹脂、またはハイブリッド樹脂（エポキシ樹脂＋シリコーン樹脂）からなっている。蛍光体含有層２１には、例えばＹＡＧ（イットリウム・アルミニウム・ガーネット：Ｙ３Ａｌ５Ｏ１２）に付活剤としてＣｅ（セリウム）を導入したＹＡＧ：Ｃｅ蛍光体が分散されている。蛍光体は、ＬＥＤ素子１３から発せられる、例えば、波長が約４６０ｎｍの青色光を吸収して、約５６０ｎｍの発光ピーク波長を有する黄色光を発する。従って、ＬＥＤ素子１３から発せられて蛍光体に吸収されなかった青色光と蛍光体から発せられる黄色光とが混ざり合うことによって白色光が得られる。
【００２０】
ＬＥＤ素子１３、蛍光体含有層２１及びプレート１９の周囲には、これらの側面を覆うように凹部１５内に反射性材料が充填されて、反射体層２３が形成されている。反射体層２３は、非導電性で反射率が高い材料、例えば、酸化チタン、酸化アルミナ、酸化亜鉛等の反射性フィラーを分散させた樹脂からなっている。反射体層２３は、ＬＥＤ素子１３、蛍光体含有層２１及びプレート１９の側面からの光を反射して光が側方に漏れ出るのを防止している。従って、ＬＥＤ素子１３から出射された光は、プレート１９の上面の光取り出し面のみから照射されることになる。
【００２１】
以上の構成により、光源１Ａが形成される。
【００２２】
光源１Ａは、光取り出し面において、第１の方向でＬＥＤ素子１３の上面と光取り出し面（プレート１９の上面）との幅の差ΔＳを小さくして、黄色味を帯びた光が多く出る周縁領域ＳＲの幅を小さくして色むらを抑制し、第２の方向でＬＥＤ素子１３の上面と光取り出し面（プレート１９の上面）との幅の差ΔＬを従来と同様に大きくして取り出し効率を高めることができる。
【００２３】
光源１Ａから発せられる光を、光軸に対して回転対称な凸レンズを用いて投影面ＳＣＲに照射すると、図３のような投影像が得られる。図３に示しているように、投影像には、中央の白色領域ＷＨの周囲に、光源１Ａの光取り出し面の周縁領域ＳＲから出射される黄色味の強い光によって形成される黄色い色むら領域Ｙ（図中斜線部）が存在する。色むら領域Ｙは、光源１Ａの周縁領域ＳＲの幅が小さい第１の方向においては、非常に幅が小さいので、視覚的にはほとんど認識されない。
【００２４】
この光源１Ａからの出射光を、自動車のデイタイムランニングライトまたは前照灯等に好ましい横長配光するために、光源１Ａの投光方向前方の空間にレンズ１Ｂを配置する。レンズ１Ｂは、少なくとも一の方向において、光源１Ａの様々な領域から出射した光が重なり合うように照射・投影することが可能なレンズ領域を含むレンズである。例えば、レンズ１Ｂは、光源１Ａとともに用いた場合に、第１の方向において照射角の狭い平行光線を形成すると同時に、第２の方向においては照射角の広い非平行光を形成し得る横長配光レンズ、例えば、第１の方向における屈折力と第２の方向における屈折力とが異なる（例えば、曲率が異なる）レンズでもよい。このようなレンズには、例えば、シリンドリカルレンズ、トーリックレンズまたはトロイダルレンズ等がある。
【００２５】
また、図４に示すような、上記レンズとプリズムを組み合わせたレンズ装置３０も使用することができる。このレンズ装置３０は、ＬＥＤ光源に向って凸形状になった中央入射面３１が入射面３２の中央部に形成され、中央入射面３１の周囲には中心から外周部に向けて多角形の放射形状に複数のプリズム３３が形成されているレンズ装置である。レンズ装置３０の出射面には中央部に中央入射面３１に対応した中央出射面としてのトロイダル面が形成され、トロイダル面の周囲にはプリズム３３に対応した周囲出射面が形成されている。
【００２６】
発光装置１は、上記のようなレンズ１Ｂを使用することによって、光源１Ａの第２の方向において、光源１Ａの周縁領域ＳＲから出射された黄色味の強い光とそれ以外の中央の領域から出射された白色光とを混合し、特に、自動車のデイタイムランニングライトまたは前照灯等に好ましい色むらの少ない照射光を生成することが可能である。
【００２７】
ここで、図５ａ及び５ｂを参照して、第１の方向に沿った曲率が第２の方向に沿った曲率よりも大きいトロイダルレンズを使用した発光装置１を例として説明する。
【００２８】
発光装置１において、光源１Ａは、レンズ１Ｂの第１の方向に沿った断面に垂直な焦線上に配される。この場合、レンズ１Ｂの第２の方向に沿った断面に垂直な焦線は、レンズ１Ｂから見て光源１Ａよりも遠方に存在する。従って、光源１Ａとレンズ１Ｂとは、第１の方向において光源１Ａの光取り出し面の各点から照射された光の各々をコリメートして平行光線にする光学系を形成し、第２の方向において、光源１Ａの光取り出し面の各点から照射された光をコリメートせずに拡散させる光学系を形成する。
【００２９】
ここで、図５ａ及びｂを参照して、発光装置１から出射された光が投影面ＳＣＲ上にどのように照射されるかを説明する。この説明において、投影面ＳＣＲは、光軸ａｘに垂直で無限遠にある仮想スクリーン上の平面とする。また、第１の方向に沿った光取り出し面の端部を各々Ａ、Ｂとし、第２の方向に沿った光取り出し面の端部を各々Ｃ、Ｄとする。Ａ、Ｂ、Ｃ及びＤから発せられて、レンズ１Ｂの断面の両端部を通過した光が達する投影面ＳＣＲ上の点を、各々、Ａ′、Ａ″、Ｂ′、Ｂ″、Ｃ′、Ｃ″、Ｄ′、Ｄ″とする。尚、図の簡略化のために、光線は仮想のレンズ面ＶＰで屈折するように示している。
【００３０】
まず、図５ａを参照する。図５ａは、発光装置１の第１の方向に沿った断面図である。図４ａにおいて、光源１Ａの光取り出し面の端部Ａから発せられた光を実線で、端部Ｂから発せられた光を破線で示す。光源１Ａは、レンズ１Ｂの第１の方向に沿った断面に垂直な焦線上にあるので、端部Ａ及びＢから発せられた光は、図示するように、レンズ１Ｂを通過するとコリメートされて各々互いに平行になり、無限遠の投影面ＳＣＲ上のＡ′とＡ″との間及びＢ′とＢ″との間に到達する。実線で示した光線同士及び破線で示した光線同士が平行であるので、これらの光が無限遠の投影面ＳＣＲに到達した場合、Ａ′Ａ″間の距離及びＢ′Ｂ″間の距離は、最大でも第１の方向に沿ったレンズの幅以下であり、Ａ′とＡ″及びＢ′とＢ″は、それぞれほぼ同一点と見ることができる。従って、第１の方向においては、光源１Ａの各々の領域から出射された光は、光源１Ａの光取り出し面での位置関係を保ちつつ、ほぼ重なり合わずに、Ａ′（≒Ａ″）とＢ′（≒Ｂ″）との間に光源１Ａの１つの投影像を形成するように投影面に照射される。
【００３１】
次に、図５ｂを参照する。図５ｂは、発光装置１の第２の方向に沿った断面図である。図５ｂにおいて、光源１Ａの光取り出し面の端部Ｃから発せられた光を実線で、端部Ｄから発せられた光を破線で示す。光源１Ａは、レンズ１Ｂの第２の方向に沿った断面に垂直な焦線よりもレンズ１Ｂに近接しているので、端部Ｃ及びＤから発せられた光は、図示するように、レンズ１Ｂを通過した後もコリメートされずに各々互いに拡散する方向に進行し投影面ＳＣＲに達する。Ｃ及びＤから発せられてレンズ１Ｂを通過した光は各々互いに拡散していくので、レンズ１Ｂから離れれば離れるほど互いに離間し、無限遠の投影面ＳＣＲ上のＣ′とＣ″との間及びＤ′とＤ″との間に到達する。ここで、レンズ１Ｂの両端部の入射点に入射した光によって、Ｄ′とＣ′との間及びＤ″とＣ″との間に光源１Ａの投影像が形成される。つまり、Ｃ′とＤ′から放射される光の、レンズ１Ｂの紙面上端端部にそれぞれ入射した光によってＣ′とＤ′との間に光源１Ａの投影像が形成され、レンズ１Ｂの紙面下側端部にそれぞれ入射した光によってＣ″とＤ″との間に光源１Ａの投影像が形成される。また、Ｄ′とＣ′との間に形成された投影像からＤ″とＣ″との間に形成された投影像にかけての領域には、レンズ１Ｂの両端部の間の領域を通過した光によって、光源１Ａの投影像が第２の方向に沿って並んで重なり合うように複数形成される。このように、光源１Ａの各々の領域から出射された光は、第２の方向に沿って広がり、かつ互いに大きく重なり合って混合されて投影面ＳＣＲに照射される。
【００３２】
上述のように、発光装置１の光源１Ａから出射した光は、レンズ１Ｂによって第２の方向に沿って広がって横長に配光され、第２の方向に沿って光源１Ａの様々な位置から出射された光が重ね合わせられるようにして照射される。従って、第２の方向において、所望の横長配光を達成すると同時に、光源１Ａの周縁領域ＳＲから出射された黄色味の強い光と、中央領域から出射された白色光とを混合して、照射光全体としての色むらを低減することが可能である。つまり、第２の方向については、光源１Ａの周縁領域ＳＲから黄色味の強い光が放出されても、レンズ１Ｂを組み合わせることにより、照射光全体としての色むらを低減することができるため、第２の方向については、発光素子からの光をより多く取り出すことができる構造、すなわち、発光素子上面の幅と光取り出し面の幅との差が比較的大きな構造をとることができる。
【００３３】
尚、上記においては、本発明の発光装置の基本的な光学系を簡略に説明するため、第２の方向に沿う断面において、単一の焦点を有するレンズとして説明したが、本発明は、これに限定されるものではない。例えば、第２の方向に沿う断面において、光の拡散角を制御するために、焦点距離の異なる複数のレンズを組み合わせた形状としてもよい。
【００３４】
また、上記においては、光源１Ａは、第１の方向に沿った断面に垂直な焦線上、つまり焦点上に配置されると説明したが、本発明の発光装置においては、無限遠にある仮想スクリーン上の投影面に対して、略焦点とみなせる、焦点近傍位置であれば、厳密な焦点上に配置されなくともよい。
【００３５】
上述の例においては。ＬＥＤ素子１３をフリップチップ型の素子としたが、素子の上面に電極が配されており、ワイヤボンディングによって電力供給を行うタイプの素子を用いてもよい。
【００３６】
上述の実施例においては、ＬＥＤ素子１３を正方形とし、プレート１９を長方形としたが、これ以外の場合でも、ΔＬがΔＳよりも大きい構成であればよい。例えば、ＬＥＤ素子１３が長方形でありかつプレート１９が正方形であってもよいし、ＬＥＤ素子１３及びプレート１９の両方が長方形であってもよい。また、ΔＳが０であってもよい。
【００３７】
上述の実施例においては、蛍光体含有層２１は、ＬＥＤ素子１３の底面の周縁端部からプレート１９の下面まで形成されているとしたが、必ずしもこのような構成となっていなくともよい。例えば、蛍光体含有層２１がＬＥＤ素子１３の側面からプレート１９の側面にかけて形成されていてもよいし、蛍光体含有層２１が、ＬＥＤ素子１３の上面からプレート１９の側面にかけて形成されていてもよい。
【００３８】
また、上述の実施例においては、基板１１が凹部１５を有する構造となっているが、必ずしもこのような構造である必要はない。例えば、反射体層２３を形成する樹脂に粘度の高い樹脂を使用することで、凹部１５に樹脂を充填すること無しに反射体層２３がＬＥＤ素子１３、蛍光体樹脂層２１及びプレート１９の側面を覆う構造が形成可能であるならば、凹部１５が無い構造をとることも可能である。
【００３９】
上述の実施例における種々の数値、寸法、材料等は、例示に過ぎず、用途及び使用される発光素子、封止樹脂等に応じて、適宜選択することができる。
【符号の説明】
【００４０】
１                                発光装置
１Ａ                              光源
１Ｂ                              レンズ
１１                              基板
１３                              ＬＥＤ素子
１５                              凹部
１７                              バンプ
１９                              プレート
２１                              蛍光体含有層
２３                              反射体層
３０                              レンズ装置
３１                              中央入射面
３２                              入射面
３３                              プリズム
【図１】
2013149835.tif 000003
【図２ａ】
2013149835.tif 000004
【図２ｂ】
2013149835.tif 000005
【図２ｃ】
2013149835.tif 000006
【図３】
2013149835.tif 000007
【図４】
2013149835.tif 000008
【図５ａ】
2013149835.tif 000009
【図５ｂ】
2013149835.tif 000010